(57)【要約】【課題】粘着テープ１０の端部に補助テープ１２を接合し、これによって粘着テープ１０の粘着機能を部分的に減殺してつまみ部分を形成した粘着テープの切断装置および切断方法を提供する。【解決手段】回転枠２９上に巻装されている粘着テープ１０を所定の長さ引出し、ガイド部材３６の上端に先端部が保持されている補助テープ１２の先端部と上記粘着テープ１０の引出された末端部とを接合し、この状態において上記粘着テープ１０と補助テープ１２とを互いに接合された状態で剥離部分に相当する長さだけ引出し、その後に粘着テープ１０と補助テープ１２とを一緒に切断刃４７によって切断する。【選択図】図６
2007161455.tif 000002
【特許請求の範囲】
【請求項１】
粘着テープを所望の長さで切断する粘着テープの切断装置において、
前記粘着テープを巻装しており、前記粘着テープが繰出される粘着テープ供給部と、
前記粘着テープの切断された部分の剥離位置の粘着面に接合される補助テープが繰出される補助テープ供給部と、
前記補助テープの切断された先端部を受けて保持するガイド部材と、
前記ガイド部材上に保持されている補助テープと接合された前記粘着テープを前記補助テープとともに切断する切断手段と、
を具備し、前記粘着テープを所定の長さ引出した後に前記ガイド部材上の補助テープと接合して剥離部分に相当する長さ分前記粘着テープと前記補助テープとを一緒に引出し、その状態で前記粘着テープと前記補助テープとを一緒に前記切断手段によって切断することを特徴とする粘着テープの切断装置。
【請求項２】
押圧カムを有し、該押圧カムは前記粘着テープを引出す際に前記補助テープを押さえて該補助テープを前記粘着テープから剥離することを特徴とする請求項１に記載の粘着テープの切断装置。
【請求項３】
前記ガイド部材に対して前記押圧カムが前記補助テープの繰出し側に設けられており、前記押圧カムが前記補助テープを前記ガイド部材に対して押圧して押さえることを特徴とする請求項２に記載の粘着テープの切断装置。
【請求項４】
前記補助テープの前記粘着テープとの接合面に粘着剤が塗布されていることを特徴とする請求項１に記載の粘着テープの切断装置。
【請求項５】
前記粘着テープを所定の長さ引出した状態でそのまま切断すると、前記補助テープが接合されない状態で前記粘着テープが切断されることを特徴とする請求項１に記載の粘着テープの切断装置。
【請求項６】
粘着テープを所望の長さで切断する粘着テープの切断方法において、
粘着テープ供給部から前記粘着テープを所定の長さ引出すとともに、ガイド部材上に保持されている補助テープの先端部を前記粘着テープの引出された末端部に接合し、
前記粘着テープと前記補助テープとを互いに接合された状態で剥離部分に相当する長さだけ引出し、その状態で前記粘着テープと前記補助テープとを一緒に切断することを特徴とする粘着テープの切断方法。
【請求項７】
前記粘着テープを所定の長さ引出した状態でそのまま切断すると、前記補助テープが接合されない状態で前記粘着テープが切断されることを特徴とする請求項６に記載の粘着テープの切断方法。
【発明の詳細な説明】
【技術分野】
【０００１】
本発明は粘着テープの切断装置および切断方法に係り、とくに粘着テープを所望の長さで切断する粘着テープの切断装置および切断方法に関する。
【背景技術】
【０００２】
止着手段として、粘着テープが広く用いられている。粘着テープは、例えば透明なシート状の基材の一方の表面に粘着剤を塗布して粘着層としたものである。このような粘着テープは巻装された状態で供給され、切断装置に装着し、所定の長さに切断して止着手段として用いる。
【０００３】
このような粘着テープを剥がす際に、先端部が容易につまめると好都合である。そこで図１３および図１４に示すように、粘着テープ１の先端側の部分を折返し、これによって折返し部分で粘着面を覆うようにし、折返し部分においては粘着の機能を阻止している。このような構成によると、折返し部分をつまみとして容易に粘着テープを剥離することができる。
【０００４】
ところが先端部を図１３および図１４に示すように、折返し部分２によって折返す構成は、電動式の折返しおよび切断の機構を用いることになり、切断装置の構造が非常に複雑になる欠点がある。しかもこのように折返し部分２を設けた切断装置は、粘着テープを通常の状態、すなわち折返し部分２を形成しないで切断することができない欠点がある。
【０００５】
剥離を容易にした別の粘着テープは、図１５に示される。この粘着テープ１は、その幅方向の両端あるいは一端に粘着剤３を塗布しない領域を設けるようにし、粘着テープ１の全幅に対して粘着剤３の塗布する幅を狭くしている。このような構成によると、粘着テープ１をその幅方向の端部から容易に剥離することができる。ところがこのような構成は、粘着テープ１の先端部から剥離することができない。また粘着テープ１はその全長に亙って粘着剤３の塗布される幅が狭くなるために、粘着力が低下する欠点がある。
【発明の開示】
【発明が解決しようとする課題】
【０００６】
本願発明の課題は、容易に剥離することができるように、剥離部分を設けた状態で切断するようにした粘着テープの切断装置および切断方法を提供することである。
【０００７】
本願発明の別の課題は、切断装置の構造を複雑にすることなく、しかも粘着テープの先端部分に剥離部分を形成した状態で粘着テープを切断するようにした粘着テープの切断装置および切断方法を提供することである。
【０００８】
本願発明のさらに別の課題は、剥離部分の長さを任意に調整できるようにした粘着テープの切断装置および切断方法を提供することである。
【０００９】
本願発明のさらに別の課題は、剥離部分を設けるとともに、必要に応じて剥離部分を設けることなく、粘着テープを通常の切断の仕方でも切断することが可能な粘着テープの切断装置および切断方法を提供することである。
【００１０】
本願発明のさらに別の課題は、操作性に優れた粘着テープの切断装置および切断方法を提供することである。
【００１１】
本願発明の上記の課題および別の課題は、以下に述べる本願発明の技術的思想、およびその実施の形態によって明かにされる。
【課題を解決するための手段】
【００１２】
本願の主要な発明は、粘着テープを所望の長さで切断する粘着テープの切断装置において、
前記粘着テープを巻装しており、前記粘着テープが繰出される粘着テープ供給部と、
前記粘着テープの切断された部分の剥離位置の粘着面に接合される補助テープが繰出される補助テープ供給部と、
前記補助テープの切断された先端部を受けて保持するガイド部材と、
前記ガイド部材上に保持されている補助テープと接合された前記粘着テープを前記補助テープとともに切断する切断手段と、
を具備し、前記粘着テープを所定の長さ引出した後に前記ガイド部材上の補助テープと接合して剥離部分に相当する長さ分前記粘着テープと前記補助テープとを一緒に引出し、その状態で前記粘着テープと前記補助テープとを一緒に前記切断手段によって切断することを特徴とする粘着テープの切断装置に関するものである。
【００１３】
ここで、押圧カムを有し、該押圧カムは前記粘着テープを引出す際に前記補助テープを押さえて該補助テープを前記粘着テープから剥離してよい。また前記ガイド部材に対して前記押圧カムが前記補助テープの繰出し側に設けられており、前記押圧カムが前記補助テープを前記ガイド部材に対して押圧して押さえてよい。また前記補助テープの前記粘着テープとの接合面に粘着剤が塗布されていてよい。また前記粘着テープを所定の長さ引出した状態でそのまま切断すると、前記補助テープが接合されない状態で前記粘着テープが切断されてよい。
【００１４】
切断方法に関する主要な発明は、粘着テープを所望の長さで切断する粘着テープの切断方法において、
粘着テープ供給部から前記粘着テープを所定の長さ引出すとともに、ガイド部材上に保持されている補助テープの先端部を前記粘着テープの引出された末端部に接合し、
前記粘着テープと前記補助テープとを互いに接合された状態で剥離部分に相当する長さだけ引出し、その状態で前記粘着テープと前記補助テープとを一緒に切断することを特徴とする粘着テープの切断方法に関するものである。
【００１５】
ここで、前記粘着テープを所定の長さ引出した状態でそのまま切断すると、前記補助テープが接合されない状態で前記粘着テープが切断されるようにしてよい。
【発明の効果】
【００１６】
本願の主要な発明は、粘着テープを所望の長さで切断する粘着テープの切断装置において、粘着テープを巻装しており、粘着テープが繰出される粘着テープ供給部と、粘着テープの切断された部分の剥離位置の粘着面に接合される補助テープが繰出される補助テープ供給部と、補助テープの切断された先端部を受けて保持するガイド部材と、ガイド部材上に保持されている補助テープと接合された粘着テープを補助テープとともに切断する切断手段と、を具備し、粘着テープを所定の長さ引出した後にガイド部材上の補助テープと接合して剥離部分に相当する長さ分粘着テープと補助テープとを一緒に引出し、その状態で粘着テープと補助テープとを一緒に切断手段によって切断するようにしたものである。
【００１７】
従ってこのような粘着テープ切断装置によると、粘着テープを所定の長さ引出した後にガイド部材上の補助テープと接合して剥離部分に相当する長さ分粘着テープと補助テープとを一緒に引出し、その状態で切断手段によって粘着テープと補助テープとを一緒に切断することにより、粘着テープの端部に補助テープが重なった状態で切断されることになる。従ってこのような粘着テープによって止着された場合には、端部であって補助テープが接合された部分をつまみとしてつまむことができ、これによって剥離が容易になる。またこのような切断装置は、構造が簡潔であって、剥離部分を付けた状態で容易に粘着テープを剥離することができる切断装置を安価に提供することが可能になる。。
【００１８】
切断方法に関する主要な発明は、粘着テープを所望の長さで切断する粘着テープの切断方法において、粘着テープ供給部から粘着テープを所定の長さ引出すとともに、ガイド部材上に保持されている補助テープの先端部を粘着テープの引出された末端部に接合し、粘着テープと補助テープとを互いに接合された状態で剥離部分に相当する長さだけ引出し、その状態で粘着テープと補助テープとを一緒に切断するようにしたものである。
【００１９】
従ってこのような切断方法によると、粘着テープを所定の長さ引出した後に、粘着テープと補助テープとを互いに接合された状態で剥離部分に相当する長さだけ引出し、その状態で粘着テープと補助テープとを一緒に切断することによって、端部であって粘着面に補助テープが接合された状態で粘着テープが切断されることになる。従って剥離部分を設けた状態で粘着テープを容易に切断することが可能になる。
【発明を実施するための最良の形態】
【００２０】
以下本願発明を図示の一実施の形態によって説明する。図１〜図３は、本実施の形態の切断装置および切断方法によって切断される粘着テープ１０を示している。粘着テープ１０は、図３に示すようにその一方の面に粘着剤１１が塗布されて粘着層を形成している。このような粘着テープ１０は、切断されたときにその先端側の部分であって粘着剤１１が塗布されている部分の表面に補助テープ１２が接合されるようになっている。ここで補助テープ１２はその粘着剤１３を塗布した粘着層が、粘着テープ１０の粘着剤１１を塗布した粘着層と互いに接合されるようになる。従ってこのような構成によって、粘着テープ１０の粘着剤１１による粘着層が補助テープ１２で覆われるようになり、この部分については粘着機能が喪失して剥離部分、あるいはつまみを形成することになる。
【００２１】
従ってこのような粘着テープ１０は、例えば図４および図５に示すように、包装箱を包装する包装紙１７の止着に用いた場合に、この包装紙１７を開く際にまず粘着テープ１０の補助テープ１２によって形成される剥離部分を図５に示すように指でつまんで引っ張ることにより、粘着テープ１０を容易に剥離することができる。すなわち粘着テープ１０の補助テープ１２が接合された剥離位置１８をその厚さ方向の両側から指でつまんで引っ張ることができ、粘着テープ１０の先端部を爪や利器によって剥がす必要がなくなる。従って粘着テープ１０の剥離の動作が非常に容易になる。
【００２２】
次にこのように補助テープ１２が端部に接合された状態で粘着テープ１０を切断する切断装置について説明する。図６〜図１０はこのような切断装置を示しており、この切断装置はその両側に互いに対向するように側板２２を備えている。側板２２間であって下部には重りを兼ねるベース２３が配される。そして両側の側板２２はベース２３に対してビス２４で固定されている。そして両側の側板２２には、上方から下方に向けて所定の幅の切込み２７が形成され、この切込み２７の終端にはＬ字状溝２８が連続して形成される。そしてこのＬ字状溝２８によって、回転枠２９を回転可能に支持している。この回転枠２９には、巻装された粘着テープ１０が装着される。
【００２３】
また一対の側板２２の図８において右方の領域には、Ｌ字状溝３３が互いに対向して形成される。そしてこのＬ字状溝３３の最奥部によって回転枠３４が回転可能に支持される。回転枠３４には補助テープ１２が巻装される。
【００２４】
上記補助テープ１２が装着される部位の上方であって側板２２の側端の部位にはガイド部材３６が取付けられる。そしてこのガイド部材３６の背面側にカム３７が取付けられる。カム３７は支点ピン３８によって両側の側板２２に回転可能に支持される。しかもカム３７は支点ピン３８の軸線と平行な軸線を有する貫通孔３９を備え（図１１、図１２参照）、この貫通孔３９内に規制ピン４０が遊嵌される。従ってカム３７は、規制ピン４０と貫通孔３９との間のクリアランスに相当する角度だけ支点ピン３８を中心として回動されることになる。上記カム３７が支点ピン３８を中心として図１２において反時計方向に回動されると、下端側のエッジ４１の部分がガイド部材３６に当接し、これによって補助テープ１２を押さえるようになっている。
【００２５】
上記ガイド部材３６およびカム３７の上方には両側に案内板４２が取付けられる。そして案内板４２を貫通する支軸４３によって一対の案内ロール４４が回転可能に取付けられる。図１０は上記案内ロール４４の取付けの構造を示しており、一対の案内ロール４４間にコイルばね４５が配されており、これによって両側の案内ロール４４が案内板４２に当接される。なお案内板４２は支軸４３に対して移動可能に支持されており、Ｏリング４６の摩擦係合力によって所定の位置で位置決めされる。これによって各種の幅の粘着テープ１０に対応できるようにしている。なお案内ロール４４は粘着テープ１０を案内するためのものである。そして上記ガイド部材３６の背面側に切断刃４７が配される。この切断刃４７によって上記粘着テープ１０を切断するようにしている。なおガイド部材３６は切断刃４７上に延びており、安全ガードの役割をも兼ねている。
【００２６】
次にこのような切断装置による切断の動作について説明する。図１１はこのような切断装置を用いて粘着テープ１０を切断する際に、それに先立って行なう準備工程を示している。すなわち図１１Ａに示すように、まずガイド部材３６を取外す。そして回転枠３４に巻装されている補助テープ１２の先端部を、図１１Ｂに示すように、上方に引出し、この補助テープ１２がカム３７とガイド部材３６との間に挿通されるようにガイド部材３６を取付ける。そしてこの後に図１１Ｃに示すように、回転枠２９から引出された粘着テープ１０を補助テープ１２上に接合し、接合された状態で粘着テープ１０を切断刃４７によって切断する。なおガイド部材３６を図１１Ａ〜Ｃにおいて左右の方向に移動可能にしておくことにより、ガイド部材３６を取外す操作を省略できる。あるいはまたガイド部材３６とカム３７との間の隙間に上方からリーダテープを挿入し、このリーダテープに回転枠３４に巻装された補助テープ１２を粘着させて、ガイド部材３６とカム３７との間に補助テープ１２を挿通させるようにしてもよい。
【００２７】
次に図１１Ａ〜Ｃに示す準備工程によって、補助テープ１２がガイド部材３６の上端に保持された状態で、粘着テープ１０を粘着する動作について説明する。このときに図１２Ｄに示すように、補助テープ１２の先端部がガイド部材３６の上端によって受けられて保持されており、しかも粘着テープ１０はその先端側の部分が補助テープ１２と接合された状態で、切断刃４７の部位で粘着テープ１０と補助テープ１２とが揃って切断された状態にある。
【００２８】
従ってこのように状態において、図１２Ｅに示すように、まず粘着テープ１０を上方に引上げ、この粘着テープ１０を補助テープ１２から分離する。このときに粘着テープ１０に加わる上方への力によって、カム３７が支点ピン３８を中心として反時計方向に回動される。従ってこのカム３７の下端側のエッジ４１がガイド部材３６の背面部を押圧し、この補助テープ１２を押さえる。従って粘着テープ１０を上方に引上げたときに、補助テープ１２が不必要に繰出されることがない。
【００２９】
このようにして粘着テープ１０を補助テープ１２から引離した後に、図１２Ｆに示すように、粘着テープ１０を所定の長さ右方に引出す。この動作は、粘着テープ１０の先端部をつまんで右方に引っ張ることにより達成される。粘着テープ１０は回転枠２９上に巻装された状態で保持されているために、引出し量に応じて繰出されることになる。
【００３０】
粘着テープ１０を所定の長さ引出した後に、図１２Ｇに示すように、この粘着テープ１０の先端部を下方に移動させ、ガイド部材３６の上端に接するようにする。ガイド部材３６の上端には、上述の如く補助テープ１２の先端部が保持されているために、粘着テープ１０の下面（粘着面）と補助テープ１２の上面（粘着面）とがガイド部材３６の上端の位置において互いに接合される。
【００３１】
この後に図１２Ｈに示すように、補助テープ１２が接合された粘着テープ１０を右方に引っ張る。すると粘着テープ１０が右方に繰出されるとともに、このときに同時に補助テープ１２が繰出される。すなわち補助テープ１２はカム３７に対して支点ピン３８を中心として反時計方向に回動させる力を加えることがないために、ガイド部材３６とカム３７との間の隙間を通して補助テープ１２が引出されることになる。従って補助テープ１２を、つまみに相当する長さ分引出すとともに、この補助テープ１２を粘着テープ１０の下面に接合した状態とすることができる。
【００３２】
このように粘着テープ１０の後端側の部分に、補助テープ１２を剥離部分の長さに相当する量だけ接合した状態で、粘着テープ１０の先端部を持って下方に引っ張ると、切断刃４７によって粘着テープ１０と補助テープ１２とが一緒に切断される。これによって図１〜図３に示すような粘着テープ１０が得られることになり、このような粘着テープ１０によって、図４に示すように包装紙１７を止着した場合には、図５に示すように上記補助テープ１２が接合されている剥離部分を指でつまんで容易に剥離することが可能になる。
【００３３】
図１〜図３に示すような補助テープ１２を接合して成る剥離部分を有する粘着テープ１０を何本も必要とする場合には、図１２Ｄ〜Ｉの動作を繰返す。すなわち図１１Ａ〜Ｃの動作は、最初の初期設定のみに必要であって、２回目以降は、図１２Ｄ〜Ｉの動作を繰返すことによって、剥離部分を有する所定の長さの粘着テープ１０を多数切断して製作することが可能になる。
【００３４】
なおこの切断装置は、図１２において、Ｈの工程を省略すると、粘着テープ１０の端部に補助テープ１２が接合されない状態で粘着テープ１０のみを切断することができる。従ってこの場合には、通常の粘着テープ１０の切断装置および切断方法として利用することができる。
【００３５】
このような切断装置は、図１３および図１４に示すような折返し部分を形成する切断装置に比べて、極めて簡単な構造とすることができる。また電動式の複雑な機構を必要としない。
【００３６】
以上本願発明を図示の実施の形態によって説明したが、本願発明は上記実施の形態によって限定されることなく、本願に含まれる発明の技術的思想の範囲内において各種の変更が可能である。例えば補助テープ１２については、その表面に粘着層１３を必ずしも設けておく必要はない。これは粘着テープ１０の粘着剤１１から成る粘着層を利用して補助テープ１２を粘着テープ１０に接合することができるからである。またカム３７の回転規制の構造については、必ずしも規制ピン４０の遊嵌構造を利用することなく、カム３７の背面側の部分が当接するストッパを設けておくことによって達成することも可能である。
【産業上の利用可能性】
【００３７】
本願発明は、端部に剥離部分を形成した状態で粘着テープを切断する切断装置として利用することができる。
【図面の簡単な説明】
【００３８】
【図１】粘着テープと補助テープとの接合の構造を示す分解斜視図である。
【図２】同逆様にした状態の外観斜視図である。
【図３】端部で補助テープが接合された粘着テープの拡大断面図である。
【図４】包装紙を粘着テープで止着した状態を示す外観斜視図である。
【図５】粘着テープの剥離の動作を示す正面図である。
【図６】粘着テープの切断装置の外観斜視図である。
【図７】同切断装置の平面図である。
【図８】同切断装置の一方の側板を破断した状態の正面図である。
【図９】同切断装置の側面図である。
【図１０】案内ロールの取付け構造を示す要部平断面図である。
【図１１】準備工程の動作を順を追って説明する要部正面図である。
【図１２】補助テープを接合した状態で切断する切断の動作を示す要部正面図である。
【図１３】折返し部分を先端部に形成した粘着テープの要部斜視図である。
【図１４】同要部側面図である。
【図１５】粘着テープを両側に塗布しないようにした粘着テープの裏面の外観斜視図である。
【符号の説明】
【００３９】
１…粘着テープ、２…折返し部分、３…粘着剤、１０…粘着テープ、１１…粘着剤、１２…補助テープ、１３…粘着剤、１７…包装紙、１８…剥離位置、２２…側板、２３…ベース（重り）、２４…ビス、２７…切込み、２８…Ｌ字状溝、２９…回転枠、３３…Ｌ字状溝、３４…回転枠、３６…ガイド部材、３７…カム、３８…支点ピン、３９…貫通孔、４０…規制ピン、４１…エッジ、４２…案内板、４３…支軸、４４…案内ロール、４５…コイルばね、４６…Ｏリング、４７…切断刃
【図１】
2007161455.tif 000003
【図２】
2007161455.tif 000004
【図３】
2007161455.tif 000005
【図４】
2007161455.tif 000006
【図５】
2007161455.tif 000007
【図６】
2007161455.tif 000008
【図７】
2007161455.tif 000009
【図８】
2007161455.tif 000010
【図９】
2007161455.tif 000011
【図１０】
2007161455.tif 000012
【図１１】
2007161455.tif 000013
【図１２】
2007161455.tif 000014
【図１３】
2007161455.tif 000015
【図１４】
2007161455.tif 000016
【図１５】
2007161455.tif 000017